(57)【要約】【課題】燃料噴射圧の脈動による燃料噴射量のずれを補正する。【解決手段】前噴射によって生ずる燃料噴射圧の脈動波形を反映させた基準となる噴射ずれ量の変動特性に係る減衰振動モデル式の振幅、減衰係数、周波数及び位相の少なくとも一つに補正項を設定し、該補正項を当該燃焼サイクルの噴射条件の変動に応じて変更することによって上記噴射ずれ量の変動特性を求め、この変動特性に基づいて後噴射量を補正する。【選択図】図１
2014181680.tif 000002
【特許請求の範囲】
【請求項１】
高圧状態で蓄えられた燃料をエンジンの気筒に噴射する燃料噴射弁を備え、エンジン運転状態に応じて上記燃料噴射弁による気筒への燃料噴射を１燃焼サイクルに複数回実行するエンジンの燃料噴射制御装置において、
エンジンの運転状態に応じて上記燃料噴射弁による燃料の噴射時期及び噴射量を制御する制御手段と、
上記複数回の燃料噴射のうち先行する前噴射によって生ずる燃料噴射圧の脈動による後噴射の目標噴射量からの噴射ずれ量の変動特性を推定する手段と、
上記噴射ずれ量の変動特性に基づいて後噴射の噴射量及び／又は噴射時期を補正する補正手段とを備え、
上記噴射ずれ量の変動特性推定手段は、所定の噴射条件下で前噴射及び後噴射を実行したときの、前噴射によって生ずる燃料噴射圧の脈動波形を反映させた基準となる噴射ずれ量の変動特性に係る減衰振動モデル式を備え、この減衰振動モデル式の振幅、減衰係数、周波数及び位相の少なくとも一つに補正項が設定されており、該補正項を当該燃焼サイクルの噴射条件の変動に応じて変更することによって、上記噴射ずれ量の変動特性を求めることを特徴とするエンジンの燃料噴射制御装置。
【請求項２】
請求項１において、
上記減衰振動モデル式には、上記燃料を高圧状態で蓄える高圧室から上記燃料噴射弁の先端に至る間の各部において上記前噴射に伴って発生する複数の燃料噴射圧の脈動波形が合成して反映されていることを特徴とするエンジンの燃料噴射制御装置。
【請求項３】
請求項１又は請求項２において、
上記脈動波形推定手段は、前噴射量と後噴射量を上記補正項に対応付けたルックアップテーブル、又は前噴射量と後噴射量と上記高圧室の燃料圧力を上記補正項に対応付けたデータマップ、又は前噴射量と後噴射量と上記高圧室の燃料圧力とを変数とする関数に基づいて補正項を決定することを特徴とするエンジンの燃料噴射制御装置。
【請求項４】
請求項１乃至請求項３のいずれか一において、
上記補正手段は、後噴射に先行して複数回の前噴射が実行されたとき、各前噴射に伴って生ずる燃料噴射圧の脈動による噴射ずれ量を重み付け加算して後噴射の噴射量及び／又は噴射時期を補正することを特徴とするエンジンの燃料噴射制御装置。
【請求項５】
請求項１乃至請求項４のいずれか一において、
上記補正手段は、上記噴射ずれ量の変動特性に基づいて、後噴射の噴射時期を噴射ずれ量が小さくなるときに又は噴射ずれ量がゼロになるときに後噴射が開始されるように補正することを特徴とするエンジンの燃料噴射制御装置。
【発明の詳細な説明】
【技術分野】
【０００１】
本発明はエンジンの燃料噴射制御装置に関する。
【背景技術】
【０００２】
コモンレールに蓄圧された燃料を高圧管によって燃料噴射弁に導き、気筒への燃料噴射をエンジン運転状態に応じて１燃焼サイクルに複数回実行する燃料噴射制御装置が知られている。例えば、ディーゼルエンジンでは、エンジントルクを得るためのメイン噴射に先行して、燃料を微少量噴射して空気と混合させるパイロット噴射、或いは火種を生成するためのパイロット噴射が実行され、また、触媒での排気ガス浄化を促進すべく排気ガス温度を上昇させるためのポスト噴射が実行される。
【０００３】
このような燃料の所謂多段噴射においては、先行する前噴射によって燃料噴射圧の脈動が発生し、この脈動によって燃料噴射弁の噴孔を開閉する弁部材の作動が不安定になって、後噴射の実際の噴射量が目標噴射量からずれることが知られている。燃料噴射弁の噴孔が前噴射の終了に伴って閉じられると、それまで噴孔に向かっていた燃料の流れが急にせき止められる水撃作用によって脈動を生ずるものである。燃料噴射量が目標噴射量からずれると、燃費改善、ＮＶ（騒音・振動）の低減、ＮＯｘやスモークの低減等に不利になる。
【０００４】
上記燃料噴射圧の脈動による後噴射の噴射量のずれ対策として、特許文献１には、燃料噴射圧の脈動による噴射量の変動特性を減衰振動式で近似し、この減衰振動式に基づいて噴射量を補正することが記載されている。
【０００５】
具体的に説明すると、特許文献１では、噴射量の変動は、コモンレール圧脈動と、弁部材に燃料圧力を加える制御室圧脈動とによって生ずるとされている。コモンレール圧脈動による噴射量の変動特性を近似する減衰振動式と、弁部材に燃料圧力を加える制御室圧脈動による噴射量の変動特性を近似する減衰振動式とが線形結合されている。それら各減衰振動式における変数及び係数（振幅、減衰係数、周期及び位相）は、当該燃焼サイクルにおけるコモンレール圧、前噴射量、制御室容量等に基づいて決定するようにされている。例えば、噴射量の変動特性の振幅が大きいときに後噴射が開始されるときは、燃料噴射弁の駆動パルス幅（噴孔を開閉する弁部材の開弁時間）が短くされ、噴射量の変動特性の振幅が小さいときに後噴射が開始されるときは、上記駆動パルス幅が長くされる。
【先行技術文献】
【特許文献】
【０００６】
【特許文献１】特開２００９−２７５６２１号公報
【発明の概要】
【発明が解決しようとする課題】
【０００７】
しかし、各減衰振動式の変数及び係数を当該燃焼サイクルにおけるコモンレール圧、前噴射量、制御室容量等に基づいて決定する方式では、その変数及び係数を決定するために全ての噴射パターンを網羅する必要がある。そのため、制御定数が膨大な数になって適合工数が増大する。その結果、実用化が困難となり、噴射量の目標値からのずれを少なくするためには、前噴射による燃料噴射圧の脈動が弱まるまで前噴射と後噴射のインターバルを長くせざるを得ず、燃料の多段噴射による燃費、ＮＶ、ＮＯｘ・スモークの改善（低減）を十分に図ることができない。
【０００８】
そこで、本発明は、上記燃料噴射圧の脈動による燃料噴射量のずれを、減衰振動式を利用して、定数及び適合工数の増加を抑制し実用的な範囲内で精度良く補正することができるようにする。
【課題を解決するための手段】
【０００９】
本発明では、上記課題を解決するために、基準となる減衰振動モデル式を設定し、このモデル式に設定した補正項を燃料噴射条件の変動に応じて変更することによって、噴射ずれ量の変動特性を求めるようにした。
【００１０】
ここに提示するエンジンの燃料噴射制御装置は、高圧状態で蓄えられた燃料をエンジンの気筒に噴射する燃料噴射弁を備え、エンジン運転状態に応じて上記燃料噴射弁による気筒への燃料噴射を１燃焼サイクルに複数回実行することを前提とする。
【００１１】
この燃料噴射制御装置は、エンジンの運転状態に応じて上記燃料噴射弁による燃料の噴射時期及び噴射量を制御する制御手段と、上記複数回の燃料噴射のうち先行する前噴射によって生ずる燃料噴射圧の脈動による後噴射の目標噴射量からの噴射ずれ量の変動特性を推定する手段と、上記噴射ずれ量の変動特性に基づいて後噴射の噴射量及び／又は噴射時期を補正する補正手段とを備えている。
【００１２】
上記噴射ずれ量の変動特性推定手段は、所定の噴射条件下で前噴射及び後噴射を実行したときの、前噴射によって生ずる燃料噴射圧の脈動波形を反映させた基準となる噴射ずれ量の変動特性に係る減衰振動モデル式を備え、この減衰振動モデル式の振幅、減衰係数、周波数及び位相の少なくとも一つに補正項が設定されており、該補正項を当該燃焼サイクルの噴射条件の変動に応じて変更することによって、上記噴射ずれ量の変動特性を求めることを特徴とする。  
【００１３】
この燃料噴射制御装置によれば、噴射ずれ量の変動特性の推定にあたっては、基準となる減衰振動モデル式の補正項を当該燃焼サイクルの噴射条件の変動に応じて変更すればよく、減衰振動モデル式の基本パラメータ（振幅、減衰係数、周波数係数、周波数、位相）自体は変化させる必要がない。
【００１４】
例えば、噴射条件としての前噴射量や後噴射量が変動するとき、その変動によって噴射ずれ量の変動特性がどのように変わるかを把握すればよく、実用化にあたっての適合工数が少なくなるため、開発期間を大幅に短縮することができるとともに、噴射ずれ量の変動特性を精度良くとらえることが可能になる。よって、前噴射と後噴射のインターバルを短くしても噴射量を目標値からのずれが小さくなるように精度良く補正することが可能になり、燃費、ＮＶ、ＮＯｘ・スモークの改善に有利になる。
【００１５】
好ましい態様では、上記減衰振動モデル式には、上記燃料を高圧状態で蓄える高圧室から上記燃料噴射弁の先端に至る間の各部において上記前噴射に伴って発生する複数の燃料噴射圧の脈動波形が合成して反映される。
【００１６】
例えば、燃料噴射弁と高圧室（コモンレール）とが高圧管によって接続されている場合、燃料噴射弁の先端で発生する水撃作用による圧力波が燃料噴射弁と高圧管の接続部で反射されて高周波の脈動が生ずる。また、その接続部を透過した圧力波が高圧管と高圧室との接続部で反射されて低周波の脈動が生じ、さらには、高圧室内で反射されてさらに低い周波数の脈動を生ずる。その場合、これら複数の脈動の合成波が噴射量に影響を及ぼすことになる。
【００１７】
このように周波数の異なる複数の脈動が生ずる場合でも、当該実施態様によれば、前噴射に伴って発生する複数の燃料噴射圧の脈動波形を合成して減衰振動モデル式に反映させるようにしたから、噴射量を精度良く補正することができる。
【００１８】
上記補正項は、当該燃料サイクルの噴射条件の変動に応じて、ルックアップテーブル、データマップ、又は関数により変更することができる。好ましい態様では、上記噴射ずれ量の変動特性推定手段は、前噴射量と後噴射量を上記補正項に対応付けたルックアップテーブル、又は前噴射量と後噴射量と上記高圧室の燃料圧力を上記補正項に対応付けたデータマップ、又は前噴射量と後噴射量と上記高圧室の燃料圧力とを変数とする関数に基づいて補正項を決定する。
【００１９】
このように噴射条件に応じた補正項データを実験又はシミュレーションにより求めておくことで、噴射ずれ量の変動特性の推測精度を向上させることができる。
【００２０】
好ましい態様では、上記補正手段は、後噴射に先行して複数回の前噴射が実行されたとき、各前噴射に伴って生ずる燃料噴射圧の脈動による噴射ずれ量を重み付け加算して後噴射の噴射量及び／又は噴射時期を補正する。後噴射に先行して複数回の前噴射が実行されたとき、各々による燃料噴射圧の脈動が後噴射における噴射量のずれに影響するが、先の前噴射による燃料噴射圧の脈動は次の前噴射による燃料噴射圧の脈動によって減衰されて影響が小さくなる。そこで、各前噴射による噴射ずれ量に重み付けしてそれらを加算するものである。これにより、噴射量を精度良く補正することができる。
【００２１】
好ましい態様では、上記補正手段は、上記噴射ずれ量の変動特性に基づいて、後噴射の噴射時期を噴射ずれ量が小さくなるときに又は噴射ずれ量がゼロになるときに後噴射が開始されるように補正する。これにより、予定された正規の燃料噴射圧で又は正規の燃料噴射圧に近い圧力で後噴射を開始することができるため、その噴射量を目標噴射量に近づけやすくなる。
【発明の効果】
【００２２】
本発明によれば、所定の噴射条件下での前噴射に伴って生ずる燃料噴射圧の脈動波形を反映させた基準となる減衰振動モデル式を備え、該減衰振動モデル式に設定した補正項を噴射条件の変動に応じて変更することによって、上記燃料噴射圧の脈動による後噴射における噴射ずれ量の変動特性を推定するようにしたから、減衰振動モデル式の基本パラメータは変える必要がなく、実用化にあたっての適合工数が少なくなるため、開発期間を大幅に短縮することができるとともに、上記補正項によって噴射ずれ量の変動特性を精度良くとらえることができる。よって、前噴射と後噴射のインターバルを短くしても後噴射量を目標値からのずれが小さくなるように精度良く補正することができ、燃費、ＮＶ、ＮＯｘ・スモークの改善に有利になる。
【図面の簡単な説明】
【００２３】
【図１】エンジンの燃料噴射制御装置の全体構成図である。
【図２】前噴射による燃料噴射圧の脈動の説明図である。
【図３】燃料噴射圧の脈動と噴射ずれ量との関係を示すグラフ図である。
【図４】燃料噴射圧脈動波の重ね合わせの一例を示すグラフ図である。
【図５】燃料噴射圧脈動波の重ね合わせの別の例を示すグラフ図である。
【図６】前噴射量に応じて燃料噴射圧の脈動波形が変わることを示す図である。
【図７】後噴射量に応じて後噴射が燃料噴射圧の脈動の影響を受ける時間が変わることを示す図である。
【図８】減衰振動モデル式の補正項テーブルの作成方法の説明図である。
【図９】減衰振動モデル式の補正項テーブルを示す図である。
【図１０】前噴射があるときの噴射ずれ量の脈動波の足し合わせを示す図である。
【図１１】後噴射量補正制御のフロー図である。
【図１２】後噴射量補正制御のサブルーチンのフロー図である。
【発明を実施するための形態】
【００２４】
以下、本発明を実施するための形態を図面に基づいて説明する。以下の好ましい実施形態の説明は、本質的に例示に過ぎず、本発明、その適用物或いはその用途を制限することを意図するものではない。
【００２５】
（燃料噴射制御装置の全体構成）
本実施形態に係るエンジンの燃料噴射制御装置は、例えば自動車に搭載された４気筒ディーゼルエンジンに用いられる。図１に示す燃料噴射制御装置において、１はエンジンの各気筒に燃料を噴射する燃料噴射弁、２は燃料を高圧状態で蓄える高圧室としてのコモンレール、３は燃料噴射弁１とコモンレール２を結ぶ高圧管である。燃料タンク４の燃料が燃料供給ポンプ５で加圧されてコモンレール２に供給され高圧状態で蓄えられる。高圧状態の燃料がコモンレール２から高圧管３を通して燃料噴射弁１に供給される。当該燃料噴射制御装置は、エンジン運転状態に応じて燃料噴射弁１による気筒への燃料噴射を１燃焼サイクルに複数回実行する。
【００２６】
なお、図１では、一つの気筒に燃料を噴射する燃料噴射弁１及び高圧管３を具体的に図示し、他の気筒に燃料を噴射する燃料噴射弁１及び高圧管３は簡略に図示している。
【００２７】
燃料噴射弁１について説明する。燃料噴射弁１のボディ１１にはボディ先端の噴孔１２を開閉するニードル（弁部材）１３が往復動自在に収容されている。ニードル１３はスプリング１４によって噴孔１２を閉塞する方向に付勢されている。ボディ１１には、噴孔１２に通ずる燃料室１５、ニードル１３に噴孔閉塞方向の圧力を加えるための制御室１６、並びに燃料室１５及び制御室１６に高圧燃料を分岐して供給する燃料通路１７が形成されている。燃料通路１７は制御室１６に供給用オリフィス１８を介して連通している。制御室１６は燃料戻り通路１９に戻り用オリフィス２１を介して連通している。
【００２８】
また、燃料噴射弁１のボディ１１には戻り用オリフィス２１を開閉する制御弁２２が往復動自在に設けられている。制御弁２２はスプリング２３によって戻り用オリフィス２１を閉塞する方向に付勢されていて、ソレノイド２４によって戻り用オリフィス２１を開く方向に駆動される。燃料噴射弁１の燃料通路１７に高圧管３の燃料通路２５が接続されている。コモンレール２と高圧管３とはオリフィス２６を介して接続されている。
【００２９】
ここに、ニードル１３が燃料室１５の燃料によって噴孔開放方向に受ける力をＦ１とし、制御室１６の燃料によって噴孔閉塞方向に受ける力をＦ２とし、スプリング１４による付勢力をＦ３として、燃料噴射弁１の作動を説明する。
【００３０】
ソレノイド２４への通電がオフであるときは、制御弁２２がスプリング２３の付勢によって制御室１６の戻り用オリフィス２１を閉塞している。このときはＦ１＜（Ｆ２＋Ｆ３）となり、噴孔１２はニードル１３によって閉塞されている。ソレノイド２４が励磁されると、制御弁２２がスプリング２３の付勢に抗して移動し、制御室１６の戻り用オリフィス２１が開放される。これにより、Ｆ２が小さくなるため、Ｆ１＞（Ｆ２＋Ｆ３）となり、ニードル１３が噴孔１２を開放し、噴孔１２から燃料が噴射される。
【００３１】
ソレノイド２４への通電の制御はＥＣＵ２７によりソレノイド駆動回路２８を通じて行なわれる。ＥＣＵ２７は、マイクロコンピュータによって構成されており、エンジンの運転状態に応じて燃料噴射弁１による燃料の噴射時期及び噴射量を制御する制御手段、上記複数回の燃料噴射のうち後噴射に先行する前噴射に伴って生ずる燃料噴射圧の脈動による後噴射の噴射ずれ量の変動特性を推定する手段、並びに噴射ずれ量の変動特性に基づいて後噴射の噴射量及び／又は噴射時期を補正する補正手段として機能する。
【００３２】
そのため、ＥＣＵ２７には、エンジン回転数を検出する回転数センサ３１、アクセルペダルの操作量であるアクセル開度を検出するアクセルセンサ３２、エンジンの吸入空気量を検出するセンサ３３，エンジン冷却水の温度を検出する水温センサ３４、エンジンのクランクシャフトの回転角を検出するクランク角センサ３５、コモンレール２の内部の燃料圧力（以下、「燃圧」という。）を検出する燃圧センサ３６等の各検出信号が入力される。回転数センサ３１及びアクセルセンサ３２がエンジン運転状態を検出するセンサとして機能する。
【００３３】
（制御手段）
ＥＣＵ２７では、アクセル開度（エンジン負荷）とエンジン回転数に応じた目標トルクを記録した目標トルクマップ、並びにこの目標トルク、吸入空気量及びエンジン回転数に応じた燃料噴射量を記録した燃料噴射量マップが、メモリ上に電子的に格納されている。通常は、アクセル開度とエンジン回転数とに基づいて目標トルクが求められ、この目標トルクとエンジン回転数と吸入空気量とに基づいて燃料の主噴射量が求められ、主噴射量とコモンレール２の燃圧とに基づいて、燃料噴射弁１の励磁時間（開弁時間）が決定される。
【００３４】
上記ＥＣＵ３５のメモリには、目標トルク（又はアクセル開度）とエンジン回転数に応じて燃料の噴射パターン（噴射段数、噴射圧力、噴射時期、噴射量）を設定した噴射パターンマップが電子的に格納されており、目標トルクとエンジン回転数とに基づいて噴射パターンが選択される。例えば、主噴射に関しては、燃料を圧縮行程上死点付近で一括して噴射するか、２回に分割して噴射するか、３回に分割して噴射するかのいずれかが選択されるとともに、分割噴射の場合には、その途中の閉弁状態となる噴射インターバルを変更して、燃費性能や排気特性等が最適なものになるように燃焼が制御される。また、燃料予混合等のために主噴射前に実行されるパイロット噴射或いはプレ噴射、並びに、スモークの低減等のための主噴射後のポスト噴射に関しても、エンジンの運転状態に応じた噴射時期を設定した噴射時期マップ、並びにエンジンの運転状態に応じた噴射量を設定した噴射量マップが電子的に格納されており、それらマップに基づいて噴射時期及び噴射量が制御される。なお、パイロット噴射、プレ噴射、ポスト噴射が実行されるときは必要に応じて主噴射量が補正される。
【００３５】
（噴射ずれ量の変動特性推定手段）
図２に示すように、燃料費噴射弁１による燃料噴射が１燃焼サイクル中に複数回実行されるときは、先行する前噴射の終了に伴って（噴孔１２が閉じられたときに）燃料噴射弁１の先端で水撃作用による圧力波が発生して燃料噴射圧の脈動を生ずる。この燃料噴射圧の脈動により、後噴射の噴射量に目標値からのずれを生ずる。
【００３６】
ここに、「後噴射」とは、１燃焼サイクルにおいて、先行する前噴射の後に実行される燃料噴射を意味する。例えば、パイロット噴射が実行されるときは、パイロット噴射が「前噴射」となり、主噴射が「後噴射」となる。或いは、主噴射が分割噴射されるときは、例えば、先行する第１段目の噴射が「前噴射」となり、２段目の噴射、或いは３段目の噴射が「後噴射」となる。或いは、ポスト噴射が実行されるときは、例えば、パイロット噴射や主噴射が「前噴射」となり、ポスト噴射が「後噴射」となる。また、当該噴射に先行する燃料噴射が複数あるときは、そのいずれもが前噴射となる。
【００３７】
図３は前噴射による燃料噴射圧の脈動の一例と、この脈動による後噴射での噴射ずれ量を示している。噴射ずれ量の波形は、前噴射によって発生する燃料噴射弁１の先端部分の燃料噴射圧の脈動波形と位相は異なるが相似の形状（減衰振動の波形）になっている。従って、前噴射による燃料噴射圧の脈動波形をとらえることで後噴射の噴射ずれ量の変動特性を推測することができる。
【００３８】
[燃料噴射圧の脈動波形について]
図３に示す燃料噴射圧の脈動波形は複雑な形になっているが、これは、複数の脈動波が重なっているためである。この点を典型例で具体的に説明する。
【００３９】
図１に示すように、燃料噴射弁１の燃料通路１７と高圧管３の燃料通路２５の径が異なる場合、燃料噴射弁１の先端で生ずる水撃作用による圧力波は燃料通路１７と燃料通路２５の接続部Ａで反射する。そのため、燃料噴射弁１の先端と接続部Ａの間（燃料通路１７）で燃料噴射圧の脈動を生ずる。この脈動に係る波を「波１」とする。接続部Ａを透過した圧力波は高圧管３とオリフィス２６の接続部Ｂで反射する。そのため、燃料噴射弁１の先端と接続部Ｂの間（燃料通路１７，２５）で燃料噴射圧の脈動を生ずる。この脈動に係る波を「波２」とする。さらに、オリフィス２６を通過した圧力波はコモンレール２内で反射するため、同様に燃料噴射弁１の先端との間で燃料噴射圧の脈動を生ずる。この脈動に係る波を「波３」とする。
【００４０】
図４は波１と波２の重ね合わせ例を示す。波１の周波数は波２の周波数よりも高くなっているが、これは、脈動を生ずる管路長さが互いに異なるためである。図５は波１と波２の合成波に周波数が低い波３を重ね合わせた例を示す。
【００４１】
以上から、燃料噴射弁１の先端での燃料噴射圧の脈動波形は、複数の波の重ね合わせで表現できることがわかる。また、脈動は減衰することからその波形は減衰振動式で表すことができる。すなわち、次のとおりである。
【００４２】
燃料噴射圧の脈動波形＝波形１＋波形２＋……＋波形ｎ
波形ｎ＝減衰振動（ｔ）＝振幅項×減衰項（ｔ）×周期項（ｔ）
＝Ａｎ×exp(−ｋｎｔ)×cos(Ｋｎωｎｔ−θｎ)
【００４３】
[噴射ずれ量の変動特性について]
従って、燃料噴射圧の脈動波形に対応する噴射ずれ量ΔＱの変動特性（脈動波形）も、複数の減衰振動波の重ね合わせで表現することができる。
【００４４】
【数１】
2014181680.tif 000003
【００４５】
式１において、Ａｎは振幅、ｋｎは減衰係数、Ｋｎは周波数係数、ωｎは周波数、θｎは位相、ｔは噴射インターバル、Constは前噴射によって生ずる平均燃圧の低下による後噴射全体の噴射ずれ量を補正する項である。式１は燃料噴射圧の脈動波形を反映させた噴射ずれ量ΔＱの変動特性を表す減衰振動式である。
【００４６】
[減衰振動モデル式の策定]
ところで、後噴射における噴射ずれ量ΔＱの変動特性は前噴射量が変わると変化する。図６に示すように、前噴射量が多くなると燃料噴射圧の脈動波形そのものが変化するためである。一方、前噴射量が同じで当該後噴射量が変わったときも、噴射ずれ量ΔＱの変動特性が変化する。図７に示すように、燃料噴射量は燃料噴射弁１の噴孔１２の開時間（パルス幅）で制御されるから、後噴射量が多くなるほど前噴射による燃料噴射圧の脈動の影響を受ける時間が長くなるためである。
【００４７】
従って、噴射ずれ量ΔＱの変動特性の変化は、前噴射量の影響（燃料噴射圧の脈動自体の変動）による変化と、後噴射量の影響（燃料噴射圧の脈動の影響を受ける期間の変動）による変化とに分けてとらえることができる。
【００４８】
そうして、前噴射量及び後噴射量各々の影響による噴射ずれ量ΔＱの変動特性の変化は、式１における振幅Ａｎ、減衰係数ｋｎ、周波数係数Ｋｎ、位相θｎの変化に現れる。よって、式１の振幅Ａｎ、減衰係数ｋｎ、周波数係数Ｋｎ及び位相θｎの各々に前噴射量及び後噴射量各々の影響に係る補正項を設定すれば、前噴射量及び後噴射量各々が基準値から変化したときに噴射ずれ量ΔＱの変動特性がどのように変化するかを表す式２の減衰振動モデル式が得られる。
【００４９】
【数２】
2014181680.tif 000004
【００５０】
式２において、Ｇ１ｎ、Ｍ１ｎ、Ｎ１ｎ及びα１ｎは前噴射量の基準値からの変動による振幅、減衰係数、周波数係数及び位相の各補正項である。Ｇ２ｎ、Ｍ２ｎ、Ｎ２ｎ及びα２ｎは後噴射量の基準値からの変動による振幅、減衰係数、周波数係数及び位相の各補正項である。
【００５１】
式２の基本パラメータである振幅Ａｎ、減衰係数ｋｎ、周波数係数Ｋｎ、周波数ωｎ及び位相θｎについては、前噴射量、後噴射量、燃圧、噴射インターバル等を所定値（基準値）に設定した所定の噴射条件下で前噴射及び後噴射を実行したときの実測値又はシミュレーションによる値を採用する。つまり、前噴射量、後噴射量又は燃圧が基準値からずれても、基本パラメータ（Ａｎ、ｋｎ、Ｋｎ、ωｎ、θｎ）は変えず、Ｇ１ｎ、Ｍ１ｎ、Ｎ１ｎ、α１ｎ、Ｇ２ｎ、Ｍ２ｎ、Ｎ２ｎ及びα２ｎのうちの必要な補正項の値を変えることになる。
【００５２】
従って、振幅Ａｎ、減衰係数ｋｎ、周波数係数Ｋｎ、周波数ωｎ及び位相θｎに上記実測値又はシミュレーション値を与えた式２は、所定の噴射条件下で前噴射及び後噴射を実行したときの、前噴射によって生ずる燃料噴射圧の脈動波形を反映させた基準となる減衰振動モデル式である。この減衰振動モデル式に設定された補正項の少なくとも一つを噴射条件（前噴射量、後噴射量、或いは燃圧）の変動に応じて変更することによって、当該噴射条件での噴射ずれ量ΔＱの変動特性が求まる。
【００５３】
[補正項の決定]
上述の如く、基本パラメータ（Ａｎ、ｋｎ、Ｋｎ、ωｎ、θｎ）については、基準とする前噴射量及び後噴射量の組み合わせで得られる噴射ずれ量ΔＱの波形に基づいて決定する。前噴射量の変動による補正項（Ｇ１ｎ、Ｍ１ｎ、Ｎ１ｎ、α１ｎ）については、図８に示すように、前噴射量のみを基準値から段階的に変化させたときの噴射ずれ量ΔＱの波形を実測又はシミュレーションにより求め、それぞれの波形に合うように決定する。同様に、後噴射量の変動による補正項（Ｇ２ｎ、Ｍ２ｎ、Ｎ２ｎ及びα２ｎ）についても、後噴射量のみを基準値から段階的に変化させたときの噴射ずれ量ΔＱの波形を実測又はシミュレーションにより求め、それぞれの波形に合うように決定する。
【００５４】
従って、図９に示すように、前噴射量を変化させたときの補正項の値a1、a2、a3、a4、a5、a6と、後噴射量を変化させたときの補正項の値b1、b2、b3、b4、b5、b6とを組み合わせることにより、例えば、振幅補正項（Ｇ１ｎ，Ｇ２ｎ）を前噴射量及び後噴射量に応じて決定するルックアップテーブルが得られる。減衰係数補正項（Ｍ１ｎ，Ｍ２ｎ）、周波数係数補正項（Ｎ１ｎ，Ｎ２ｎ）及び位相補正項（α１ｎ，α２ｎ）の各々のルックアップテーブルについても同様に得ることができる。ルックアップテーブルによる補正項の決定においては、線形補間を利用することができる。
【００５５】
図９は前噴射量と後噴射量の２つのパラメータで定まる各ポジションに補正項のデータを与えたルックアップテーブルの一例を示す。なお、前噴射量及び後噴射量各々が基準値であるとき、Ｇ１ｎ、Ｇ２ｎ、Ｍ１ｎ、Ｍ２ｎ、Ｎ１ｎ、Ｎ２ｎの各々は「１」であり、α１ｎ及びα２ｎは「０」である。
【００５６】
以上のように、前噴射量が噴射ずれ量ΔＱの波形に与える影響と後噴射量が噴射ずれ量ΔＱの波形に与える影響とを分けて各補正項の値を決定するため、各噴射項の値の決定のために全ての噴射パターンを網羅する必要がなく、適合工数を大幅に削減することができる。また、前噴射量又は後噴射量が同じ場合には、同じ補正値を使用することができるため、補正値データの増大を抑えることができ、前噴射量と後噴射量の組み合わせに制約されることなく、噴射ずれ量ΔＱの変動特性（波形）を精度良く推定することができる。
【００５７】
噴射ずれ量ΔＱの波形は燃圧にも影響される。よって、前噴射量と後噴射量と燃圧を上記各補正項に対応付けたデータマップを作成し、このマップに基づいて当該補正項の値を決定するようにしてもよい。
【００５８】
[減衰振動モデル式の簡略化]
基本パラメータ（Ａｎ、ｋｎ、Ｋｎ、ωｎ、θｎ）のうち、前噴射量や後噴射量の変動に対する感度が低いパラメータについては補正項を設定せず、基準点で決定した値に固定してもよい。また、噴射ずれ量ΔＱの変動特性（脈動波形）を構成する各波成分の補正項が前噴射量や後噴射量の変動に対して同じ感度を示す（又は感度が小差である）場合は、各波成分毎に補正項を設定せず、重ね合わせた脈動波全体に補正項を設定してもよい。
【００５９】
例えば、前噴射量や後噴射量の変動に対する減衰係数及び周波数係数の感度が低く（又は感度がなく）、後噴射量の変動に対する振幅の感度が各波成分で同じである場合は、式２の減衰振動モデル式を次に示す式３のように展開することができる。
【００６０】
【数３】
2014181680.tif 000005
【００６１】
式３において、Ｇ２は後噴射量の変動による脈動波全体の振幅補正項である。この場合、各波成分の振幅補正項Ｇ１ｎ及び位相補正項α１ｎを前噴射量に応じて決定し、重ね合わせた脈動波全体の振幅補正項Ｇ２及び位相補正項α２ｎを後噴射量に応じて決定することになる。
【００６２】
（補正手段）
上記変動特性推定手段によって得られる噴射ずれ量ΔＱの変動特性に基づいて後噴射の噴射量及び／又は噴射時期を補正する。具体的には、振動減衰モデル式に基づいて後噴射の噴射ずれ量ΔＱを求め、これに−１を掛けて噴射量の補正量を算出する。この補正量に基づいて後噴射における燃料噴射弁の駆動パルス幅を補正する。
【００６３】
この駆動パルス幅の補正において、駆動パルス信号の立上り時期、すなわち、噴射時期を噴射ずれ量ΔＱの脈動波形における噴射ずれ量ΔＱが小さい時期に、例えば、噴射ずれ量Ｑがゼロになる時期に補正するようにしてもよい。これにより、後噴射を予定された正規の燃料噴射圧で開始することができるため、噴射量を目標値に近づけやすくなる。
【００６４】
図１０に示すように、後噴射に先行して複数回の前噴射が実行されたときは、各前噴射に伴って生ずる燃料噴射圧の脈動が後噴射に影響を及ぼす。この場合も、各前噴射による噴射ずれ量の変動特性に係る脈動波を足し合わせ、これに基づいて後噴射量の補正量を求めることができる。その場合、各前噴射に伴って生ずる燃料噴射圧の脈動による噴射ずれ量を重み付け加算して後噴射の噴射ずれ量ΔＱを求める。例えば、３段の前噴射があるときは次のとおりである。
【００６５】
ΔＱ＝ΔＱｎ＋Ａ１×ΔＱｎ−１＋Ａ２×ΔＱｎ−２
ΔＱｎは後噴射直前のｎ段目の前噴射による噴射ずれ量、ΔＱｎ−１はｎ−１段目の前噴射による噴射ずれ量、ΔＱｎ−２はｎ−２段目の前噴射による噴射ずれ量である。Ａ１及びＡ２は重み係数であり、１＞Ａ１＞Ａ２＞０である。
【００６６】
すなわち、後噴射に先行して複数回の前噴射が実行されたとき、各々による燃料噴射圧の脈動が後噴射における噴射量のずれに影響するが、先の前噴射による燃料噴射圧の脈動は次の前噴射による燃料噴射圧の脈動によって減衰されて影響が小さくなる。そこで、各前噴射による噴射ずれ量に後噴射に近づくほど大きな重み付けをしてそれらを加算するものである。これにより、噴射量を精度良く補正することができる。
【００６７】
（補正制御の流れ）
図１１に後噴射量の補正制御の流れの一例を示す。スタート後のステップＡ１でエンジン運転状態（アクセル開度、エンジン回転数等）が検出される。続くステップＡ２でエンジン運転状態に基づいてエンジン要求特性（目標トルク）が算出される。続くステップＡ３で目標トルク及びエンジン回転数に基づいて燃料の噴射パターンを算出される。噴射段数が２段以上であるときは（ステップＡ４）、ステップＡ５に進んで前噴射各段によって生ずる燃料噴射圧の脈動に伴う後噴射の噴射ずれ量の重み付け加算がされる。この加算によって得られた噴射ずれ量に基づいて、ステップＡ６で後噴射量の補正量が算出され、後噴射量の補正（燃料噴射弁１の駆動パルス幅の補正）がされる。
【００６８】
前噴射各段による後噴射の噴射ずれ量の算出はサブルーチンで実行される。図１２に示すように、ステップＢ１で前噴射量、後噴射量及び燃圧に基づいてテーブル又はマップの参照により減衰振動モデル式の補正項が決定される。この決定された補正項に基づいて、ステップＢ２で噴射ずれ量の変動特性が確定される。続くステップＢ３で噴射ずれ量の変動特性に基づいて後噴射の噴射ずれ量が算出される。
【符号の説明】
【００６９】
１    燃料噴射弁
２    コモンレール（高圧室）
３    高圧管
１２    噴孔
１３    ニードル（弁部材）
１７    燃料通路
２５    燃料通路
２６    オリフィス
２７    ＥＣＵ（制御手段，噴射ずれ量の変動特性推定手段，補正手段）
３１    回転数センサ
３２    アクセルセンサ
【図１】
2014181680.tif 000006
【図２】
2014181680.tif 000007
【図３】
2014181680.tif 000008
【図４】
2014181680.tif 000009
【図５】
2014181680.tif 000010
【図６】
2014181680.tif 000011
【図７】
2014181680.tif 000012
【図８】
2014181680.tif 000013
【図９】
2014181680.tif 000014
【図１０】
2014181680.tif 000015
【図１１】
2014181680.tif 000016
【図１２】
2014181680.tif 000017